(57)【特許請求の範囲】
【請求項１】
インクジェット方式の記録ヘッドからインクを吐出してインク受容層を有する記録媒体に画像を形成する工程を有するインクジェット記録方法であって、
さらに、前記記録ヘッドと前記記録媒体との間を加湿する工程を有し、
前記画像形成工程に、下記一般式（Ｉ）で表される染料、ＩＯＢ値が１．４以上２．７以下である水溶性有機化合物を含有するインクを用い、
前記加湿工程では、前記記録ヘッドと前記媒体との間に対して加湿空気を供給することにより、前記記録ヘッドと前記記録媒体との間を、温度３５℃以下かつ絶対湿度０．０１３ｋｇ／ｋｇＤＡ以上の雰囲気とすることを特徴とするインクジェット記録方法。
【化１】
0005284416.tif 000007
（一般式（Ｉ）中、Ａ、Ｂ、Ｃ、及びＤはそれぞれ独立に芳香性を有する６員環であり、かつ、Ａ、Ｂ、Ｃ、及びＤの少なくともひとつはピリジン環又はピラジン環である。Ｍはそれぞれ独立に、水素原子、アルカリ金属、アンモニウム、又は有機アンモニウムである。Ｅはアルキレン基である。Ｘは、スルホ置換アニリノ基、カルボキシ置換アニリノ基、又はホスホノ置換アニリノ基であり、該置換アニリノ基はさらに、スルホン酸基、カルボキシ基、ホスホノ基、スルファモイル基、カルバモイル基、ヒドロキシ基、アルコキシ基、アミノ基、アルキルアミノ基、ジアルキルアミノ基、アリールアミノ基、ジアリールアミノ基、アセチルアミノ基、ウレイド基、アルキル基、ニトロ基、シアノ基、ハロゲン、アルキルスルホニル基、及びアルキルチオ基からなる群から選ばれる少なくともひとつの置換基を１乃至４個有してもよい。Ｙはヒドロキシ基又はアミノ基である。ａ、ｂ、及びｃは、０≦ａ≦２．０、０≦ｂ≦３．０、０．１≦ｃ≦３．０であり、かつａ＋ｂ＋ｃ＝１．０乃至４．０である。）
【請求項２】
前記ＩＯＢ値が１．４以上２．７以下である水溶性有機化合物が、トリエチレングリコール、１，４−ブタンジオール、１，５−ペンタンジオール、３−メチル−１，５−ペンタンジオール、１，２−ヘキサンジオール、１，６−ヘキサンジオール、及び、２−ピロリドンからなる群より選択される少なくとも１種である請求項１に記載のインクジェット記録方法。
【請求項３】
前記インク中の、前記一般式（Ｉ）で表される染料の含有量（質量％）が、インク全質量を基準として、０．７質量％以上２．０質量％以下であり、かつ、インク全質量を基準とした、前記水溶性有機化合物の含有量（質量％）が前記一般式（Ｉ）で表される染料の含有量（質量％）に対する質量比率で５．０倍以上１４．３倍以下である請求項１又は２に記載のインクジェット記録方法。
【請求項４】
前記水溶性有機化合物のＩＯＢ値が、１．７以上２．５以下である請求項１乃至３のいずれか１項に記載のインクジェット記録方法。
【請求項５】
前記インクが、前記ＩＯＢ値が１．４以上２．７以下である水溶性有機化合物として、１，５−ペンタンジオールを含有する請求項１乃至４のいずれか１項に記載のインクジェット記録方法。
【請求項６】
前記絶対湿度が０．０１５ｋｇ／ｋｇＤＡ以上である請求項１乃至５のいずれか１項に記載のインクジェット記録方法。
【請求項７】
インクを収容するためのインク収容部、インクジェット方式の記録ヘッドからインクを吐出してインク受容層を有する記録媒体に画像を形成するための画像形成部を有するインクジェット記録装置であって、
さらに、前記記録ヘッドと前記記録媒体との間を加湿するための手段を有し、
前記インク収容部に収容されたインクが、下記一般式（Ｉ）で表される染料、ＩＯＢ値が１．４以上２．７以下である水溶性有機化合物を含有するインクであり、
前記加湿手段は、前記記録ヘッドと前記媒体との間に対して加湿空気を供給することにより、前記記録ヘッドと前記記録媒体との間を、温度３５℃以下かつ絶対湿度０．０１３ｋｇ／ｋｇＤＡ以上の雰囲気とするためのものであることを特徴とするインクジェット記録装置。
【化２】
0005284416.tif 000008
（一般式（Ｉ）中、Ａ、Ｂ、Ｃ、及びＤはそれぞれ独立に芳香性を有する６員環であり、かつ、Ａ、Ｂ、Ｃ、及びＤの少なくともひとつはピリジン環又はピラジン環である。Ｍはそれぞれ独立に、水素原子、アルカリ金属、アンモニウム、又は有機アンモニウムである。Ｅはアルキレン基である。Ｘは、スルホ置換アニリノ基、カルボキシ置換アニリノ基、又はホスホノ置換アニリノ基であり、該置換アニリノ基はさらに、スルホン酸基、カルボキシ基、ホスホノ基、スルファモイル基、カルバモイル基、ヒドロキシ基、アルコキシ基、アミノ基、アルキルアミノ基、ジアルキルアミノ基、アリールアミノ基、ジアリールアミノ基、アセチルアミノ基、ウレイド基、アルキル基、ニトロ基、シアノ基、ハロゲン、アルキルスルホニル基、及びアルキルチオ基からなる群から選ばれる少なくともひとつの置換基を１乃至４個有してもよい。Ｙはヒドロキシ基又はアミノ基である。ａ、ｂ、及びｃは、０≦ａ≦２．０、０≦ｂ≦３．０、０．１≦ｃ≦３．０であり、かつａ＋ｂ＋ｃ＝１．０乃至４．０である。）
【発明の詳細な説明】
【技術分野】
【０００１】
本発明はインクジェット記録方法及びインクジェット記録装置に関する。
【背景技術】
【０００２】
インクジェット記録方法により得られる画像の高画質化により、画像の出力形態が銀塩方式からインクジェット方式へと急激にシフトしている。このような状況のもとで、画像の耐オゾン性などの堅牢性をより高いレベルとすることが要求されている。例えば、特定の置換基を有するフタロシアニン染料を使用することで、高いレベルの耐オゾン性が達成されることが記載されている（特許文献１参照）。さらに、フタロシアニン骨格の最外核の芳香環を含窒素複素芳香環としたアザフタロシアニン染料により、優れたレベルの耐オゾン性が達成されることが記載されている（特許文献２参照）。
【０００３】
また、近年、インクジェット記録方法では高画質化を図るためにインク滴の極小化が進んでおり、インクの吐出安定性を今まで以上に向上する必要がある。かかる課題に対しては、例えば、記録ヘッドと記録媒体との間を加湿することにより、インクとなじみにくい材質にも記録可能で、インク滴からの水分の飛散や記録ヘッドの目詰まりを抑制できる記録方法が提案されている（特許文献３参照）。
【先行技術文献】
【特許文献】
【０００４】
【特許文献１】国際公開２００４／０８７８１５号パンフレット
【特許文献２】国際公開２００７／０９１６３１号パンフレット
【特許文献３】特開平１１−２６８２５６号公報
【発明の概要】
【発明が解決しようとする課題】
【０００５】
本発明者らの検討の結果、インク受容層を有する記録媒体に形成した画像の耐オゾン性は、上記特許文献２に記載されたアザフタロシアニン染料を用いることで向上できることがわかった。しかし、前記染料を含有するインクを用い、加湿工程を有するインクジェット記録方法により画像を形成すると、フェザリングが発生し易くなり、また、その程度は特許文献１に記載されたフタロシアニン染料よりも劣っていた。なお、フェザリングとは、１のインクで形成した画像におけるにじみであり、高精細な画像を得るうえでは特に問題となる。
【０００６】
したがって、本発明の目的は、インクの吐出安定性を向上するために記録ヘッドと記録媒体との間の加湿を行う場合においても、フェザリングの発生が抑制された画像を形成することができるインクジェット記録方法を提供することにある。また、本発明の別の目的は、上記の顕著な効果が得られるインクジェット記録装置を提供することにある。
【課題を解決するための手段】
【０００７】
上記の目的は以下の本発明によって達成される。すなわち、本発明にかかるインクジェット記録方法は、インクジェット方式の記録ヘッドからインクを吐出してインク受容層を有する記録媒体に画像を形成する工程を有するインクジェット記録方法であって、さらに、前記記録ヘッドと前記記録媒体との間を加湿する工程を有し、前記画像形成工程に、下記一般式（Ｉ）で表される染料、ＩＯＢ値が１．４以上２．７以下である水溶性有機化合物を含有するインクを用い、前記加湿工程では、前記記録ヘッドと前記媒体との間に対して加湿空気を供給することにより、前記記録ヘッドと前記記録媒体との間を、温度３５℃以下かつ絶対湿度０．０１３ｋｇ／ｋｇＤＡ以上の雰囲気とすることを特徴とする。
【０００８】
【化１】
0005284416.tif 000002
【０００９】
（一般式（Ｉ）中、Ａ、Ｂ、Ｃ、及びＤはそれぞれ独立に芳香性を有する６員環であり、かつ、Ａ、Ｂ、Ｃ、及びＤの少なくともひとつはピリジン環又はピラジン環である。Ｍはそれぞれ独立に、水素原子、アルカリ金属、アンモニウム、又は有機アンモニウムである。Ｅはアルキレン基である。Ｘは、スルホ置換アニリノ基、カルボキシ置換アニリノ基、又はホスホノ置換アニリノ基であり、該置換アニリノ基はさらに、スルホン酸基、カルボキシ基、ホスホノ基、スルファモイル基、カルバモイル基、ヒドロキシ基、アルコキシ基、アミノ基、アルキルアミノ基、ジアルキルアミノ基、アリールアミノ基、ジアリールアミノ基、アセチルアミノ基、ウレイド基、アルキル基、ニトロ基、シアノ基、ハロゲン、アルキルスルホニル基、及びアルキルチオ基からなる群から選ばれる少なくともひとつの置換基を１乃至４個有してもよい。Ｙはヒドロキシ基又はアミノ基である。ａ、ｂ、及びｃは、０≦ａ≦２．０、０≦ｂ≦３．０、０．１≦ｃ≦３．０であり、かつａ＋ｂ＋ｃ＝１．０乃至４．０である。）
【発明の効果】
【００１０】
本発明によれば、インクの吐出安定性を向上するために記録ヘッドと記録媒体との間の加湿を行う場合においても、フェザリングの発生が抑制された画像を形成することができるインクジェット記録方法及びインクジェット記録装置を提供することができる。
【図面の簡単な説明】
【００１１】
【図１】インクジェット記録装置の主要部を示す模式図である。
【発明を実施するための形態】
【００１２】
以下、好適な実施の形態を挙げて本発明を詳細に説明する。以下、一般式（Ｉ）で表される染料を、一般式（Ｉ）の染料と呼ぶことがある。
【００１３】
本発明者らは、後述する一般式（Ｉ）の染料及び特定の水溶性有機化合物を含有するインクを用いて、インク受容層を有する記録媒体に画像を形成する際に、記録ヘッドと記録媒体との間を加湿することで、フェザリングの発生が抑制されることを見いだした。つまり、画像形成の際に加湿を行わない場合と比べて、加湿を行うことで、本発明者らの予想に反し、画像のフェザリングの発生が抑制されたのである。また、銅フタロシアニン骨格を有するものの、一般式（Ｉ）で表される染料とは異なる染料を含有するインクを使用した場合に加湿を行うと、加湿を行わない場合と比べて、フェザリングの発生がより顕著となることがわかった。
【００１４】
本発明者らが上記のような違いが生じる原因についての検討を行った結果、以下のような現象によるものであるという結論に至った。加湿を行わない場合と比べると、記録ヘッドと記録媒体との間を加湿する場合、記録媒体のインク受容層が水分を吸収するため、インク受容層に存在する水分量は多くなる。このような状態の記録媒体にインクにより画像を形成すると、加湿を行わない場合と比べて、インク受容層中の水分量が多くなっているため、インクは浸透しにくくなる。ここで、インクの吸収が阻害されている間にも、一般的な染料はインク受容層中の水分を介して拡散するため、染料が定着する範囲が広くなり、フェザリングが発生する。
【００１５】
一般式（Ｉ）の染料はインク中に特定の水溶性有機化合物が共存することで凝集性や非拡散性が高まるという特有の性質を有する。インクの色材として一般式（Ｉ）の染料を用いる場合、この性質に依存して、加湿によりインクの吸収が阻害されている間にも、インク受容層中の水分を介した拡散が生じず、インク受容層への染料の吸着が優先して生じると考えられる。インクの吸収が阻害されている間に染料がインク受容層に吸着するということは、加湿を行わず、インクの吸収阻害が生じない状態におけるインク受容層への染料の吸着範囲と比べて、より狭い（拡散しない）範囲に染料が吸着することを意味する。このようにして、フェザリングの発生がある程度は抑制される。
【００１６】
ここで、一般式（Ｉ）の染料がインク中に特定の水溶性有機化合物が共存することで高い凝集性や非拡散性を有する理由を、本発明者らは、該染料がアザフタロシアニン構造を有するためであると考えている。一般的なフタロシアニンとアザフタロシアニンが異なるのは、フタロシアニン骨格の最外核の芳香環の少なくともひとつが含窒素複素芳香環である点である。含窒素複素芳香環の窒素原子は非共有電子対を有するため、水素原子などとの間には電気的な相互作用が生じる。このため、アザフタロシアニンは、インク中に特定の水溶性有機化合物が共存することで、水分子とではなく、他のアザフタロシアニン分子との間に相互作用が生じやすく、凝集性や非拡散性が高いものと考えられる。
【００１７】
また、加湿を行う場合の、一般式（Ｉ）の染料の凝集性や非拡散性による作用は、インクに特定の水溶性有機化合物が共存することで強く発揮される。この水溶性有機化合物についての詳細は後述するが、一般式（Ｉ）の染料に対する溶解性（親和性）が低い部類の水溶性有機化合物を含有するインクを使用し、加湿を行うことで、フェザリングの発生を顕著に抑制することができる。
【００１８】
＜インクジェット記録方法＞
本発明の特徴は、上述の特定のインクを用いて、インク受容層を有する記録媒体に画像を形成する画像形成工程を行う際に、記録ヘッドと記録媒体との間を加湿する工程を行うことにある。
【００１９】
［画像形成工程］
本発明においては、インクジェット方式の記録ヘッドからインクを吐出してインク受容層を有する記録媒体に画像を形成する画像形成工程を行う。この画像形成工程では、一般式（Ｉ）で表される染料及びＩＯＢ値が１．４以上２．７以下である水溶性有機化合物を含有するインクを用いることを要する。インクの吐出方式は、インクに熱エネルギーや力学的エネルギーを作用させる方法が挙げられ、本発明においては、熱エネルギーの作用によりインクを吐出する方式を特に好ましく利用することができる。
【００２０】
（記録媒体）
本発明で使用する記録媒体は、インク受容層を有するものであればよく、光沢ないしは半光沢の性状を有する表面を持つものが好ましい。具体的には、支持体の少なくとも一方の面に、シリカ、アルミナ又はその水和物などの顔料を主体とし、必要に応じてバインダやカチオン性ポリマーなどの添加剤を含んで構成されるインク受容層を有する記録媒体を用いることが好ましい。本発明においては、アルミナ及びアルミナ水和物の少なくとも一方を含むインク受容層を有する記録媒体を用いることが特に好ましい。このような記録媒体は、顔料粒子で構成される多孔質構造の空隙によりインクを吸収するものであり、形成した画像が高品位なものとなるため好適である。
【００２１】
支持体としては、前記インク受容層を形成することが可能であって、かつ、インクジェット記録装置の搬送機構によって搬送可能な剛度を与えるものが好ましく、例えば、パルプや填料を含んで構成される紙などが挙げられる。また、支持体の少なくとも一方の面にポリオレフィンなどの樹脂層を設け、さらにその上にインク受容層が形成されている記録媒体であってもよい。さらに、支持体の両面にインク受容層を有する記録媒体を用いることもできる。
【００２２】
なお、本発明のインクジェット記録方法に用いる記録媒体は、所望のサイズに予めカットされたものであっても、また、ロール状に巻かれたシートを用い、画像形成後に所望のサイズにカットされるものであってもよい。
【００２３】
（インク）
〔色材〕
本発明で使用するインクに含有させる色材は、下記一般式（Ｉ）で表される染料である。本発明においては、インク中の、一般式（Ｉ）で表される染料の含有量（質量％）が、インク全質量を基準として、０．１質量％以上１０．０質量％以下、さらには、０．７質量％以上２．０質量％以下であることが好ましい。含有量が０．１質量％未満であると、画像の耐オゾン性が十分に得られない場合があり、１０．０質量％を超えると、インクの吐出安定性が十分に得られない場合がある。
【００２４】
【化２】
0005284416.tif 000003
【００２５】
（一般式（Ｉ）中、Ａ、Ｂ、Ｃ、及びＤはそれぞれ独立に芳香性を有する６員環であり、かつ、Ａ、Ｂ、Ｃ、及びＤの少なくともひとつはピリジン環又はピラジン環である。Ｍはそれぞれ独立に、水素原子、アルカリ金属、アンモニウム、又は有機アンモニウムである。Ｅはアルキレン基である。Ｘは、スルホ置換アニリノ基、カルボキシ置換アニリノ基、又はホスホノ置換アニリノ基であり、該置換アニリノ基はさらに、スルホン酸基、カルボキシ基、ホスホノ基、スルファモイル基、カルバモイル基、ヒドロキシ基、アルコキシ基、アミノ基、アルキルアミノ基、ジアルキルアミノ基、アリールアミノ基、ジアリールアミノ基、アセチルアミノ基、ウレイド基、アルキル基、ニトロ基、シアノ基、ハロゲン、アルキルスルホニル基、及びアルキルチオ基からなる群から選ばれる少なくともひとつの置換基を１乃至４個有してもよい。Ｙはヒドロキシ基又はアミノ基である。ａ、ｂ、及びｃは、０≦ａ≦２．０、０≦ｂ≦３．０、０．１≦ｃ≦３．０であり、かつａ＋ｂ＋ｃ＝１．０乃至４．０である。）
【００２６】
一般式（Ｉ）におけるＡ、Ｂ、Ｃ、及びＤはそれぞれ独立に芳香性を有する６員環であり、かつ、Ａ、Ｂ、Ｃ、及びＤの少なくともひとつはピリジン環又はピラジン環である。芳香性を有する６員環としては、ベンゼン環、ピリジン環、及びピラジン環が挙げられ、中でもピリジン環が特に好ましい。本発明では、Ａ、Ｂ、Ｃ、及びＤのうち１乃至３個がピリジン環又はピラジン環であり、残りがベンゼン環である染料を用いることが好ましい。
【００２７】
一般式（Ｉ）におけるＥはアルキレン基であり、アルキレン基における炭素数は２乃至１２、さらには２乃至６であることが好ましい。具体的には、エチレン基、プロピレン基、ブチレン基、ペンチレン基、ヘキシレン基、シクロプロピレンジイル基、１，２−又は１，３−シクロペンチレンジイル基、１，２−、１，３−、又は１，４−などのシクロヘキシレン基などが挙げられる。中でも、エチレン基、プロピレン基、及びブチレン基が好ましい。
【００２８】
一般式（Ｉ）におけるＸは、スルホ置換アニリノ基、カルボキシ置換アニリノ基、又はホスホノ置換アニリノ基である。前記置換アニリノ基はさらに、スルホン酸基、カルボキシ基、ホスホノ基、スルファモイル基、カルバモイル基、ヒドロキシ基、アルコキシ基、アミノ基、アルキルアミノ基、ジアルキルアミノ基、アリールアミノ基、ジアリールアミノ基、アセチルアミノ基、ウレイド基、アルキル基、ニトロ基、シアノ基、ハロゲン、アルキルスルホニル基、及びアルキルチオ基からなる群から選ばれる少なくともひとつの置換基を０乃至４個、好ましくは０乃至２個有してもよい。Ｘは、具体的には、２，５−ジスルホアニリノ基、２−スルホアニリノ基、３−スルホアニリノ基、４−スルホアニリノ基、２−カルボキシアニリノ基、４−エトキシ−２−スルホアニリノ基、２−メチル−５−スルホアニリノ基、２−メトキシ−４−ニトロ−５−スルホアニリノ基、２−クロロ−５−スルホアニリノ基、３−カルボキシ−４−ヒドロキシアニリノ基、３−カルボキシ−４−ヒドロキシ−５−スルホアニリノ基、２−ヒドロキシ−５−ニトロ−３−スルホアニリノ基、４−アセチルアミノ−２−スルホアニリノ基、４−アニリノ−３−スルホアニリノ基、３，５−ジカルボキシアニリノ基、２−カルボキシ−４−スルファモイルアニリノ基、２，５−ジクロロ−４−スルホアニリノ基、及び３−ホスホノアニリノ基などが挙げられる。また、一般式（Ｉ）におけるＹは、ヒドロキシ基又はアミノ基である。
【００２９】
一般式（Ｉ）における、スルホン酸基、カルボキシ基、及びホスホノ基などは塩の形態であってもよい。また、塩を形成する対イオンは、例えば、アルカリ金属、アンモニウム、及び有機アンモニウムなどのイオンが挙げられる。アルカリ金属は、例えば、リチウム、ナトリウム、及びカリウムが挙げられる。有機アンモニウムは、例えば、メチルアミン、エチルアミンなどの炭素数１乃至３のアルキルアミン類、モノエタノールアミン、ジエタノールアミン、トリエタノールアミン、モノイソプロパノールアミン、ジイソプロパノールアミン、トリイソプロパノールアミンなどのモノ、ジ又はトリ（炭素数１乃至４のアルカノール）アミンのオニウム塩が挙げられる。また、対イオンは、カルシウム及びマグネシウムなどのアルカリ土類金属であってもよい。
【００３０】
一般式（Ｉ）の染料の好ましい具体例としては、下記表１に示す例示化合物Ｉ−１〜Ｉ−２４が挙げられる。なお、表１には、前記一般式（Ｉ）におけるＡ、Ｂ、Ｃ、Ｄ、Ｅ、Ｘ、及びＹの部分をそれぞれ示した。勿論、本発明は、前記一般式（Ｉ）の構造及びその定義に包含されるものであれば、下記の例示化合物に限られるものではない。一般式（Ｉ）におけるＡ、Ｂ、Ｃ、及びＤの少なくともひとつはピリジン環又はピラジン環であるので、窒素原子の位置異性体が存在するため、化合物を合成する際にはこれらの位置異性体の混合物が含まれる。これらの異性体を単離することは困難であり、また、これらの異性体を分析して特定することも困難である。したがって、一般式（Ｉ）の染料は通常、混合物として用いる。しかし、異性体を含む状態であっても、本発明の効果は何ら変わらずに得られるため、ここでは異性体を区別することなく記載する。本発明においては、一般式（Ｉ）におけるＡ、Ｂ、Ｃ及びＤのうちピリジン環の数が１〜３個、さらには１〜２個であることが好ましい。具体的には、下記の例示化合物中、例示化合物Ｉ−１〜Ｉ−３、Ｉ−１０〜Ｉ−１２、Ｉ−２１〜Ｉ−２３を用いることが特に好ましい。
【００３１】
【表１】
0005284416.tif 000004
【００３２】
〔ＩＯＢ値が１．４以上２．７以下である水溶性有機化合物〕
本発明者らは、水溶性有機化合物の特性を示す指標として、有機概念図論に基づく無機性値と有機性値の比であるＩＯＢ（Ｉｎｏｒｇａｎｉｃ  Ｏｒｇａｎｉｃ  Ｂａｌａｎｃｅ、無機性値／有機性値）に注目した。有機概念図とは、有機化合物の特性を、共有結合性を表す有機性値と、イオン結合性を表す無機性値にわけ、有機軸（横軸）と無機軸（縦軸）との直交座標上にプロットして示すものである。有機性値はおおよそ、化合物の炭素数に２０を掛けた値であり、無機性値はある基に固有の無機性値の加算値である。
【００３３】
参考文献１（甲田善生、「有機概念図−基礎と応用−」、三共出版（１９８４））では、ヒドロキシ基の無機性値を１００とするなど、現在までに約８０個の基についての無機性値が決定されている。また、参考文献２（小田良平、「帝人タイムス」、２２、〔９〕１０〜４（１９５２））には以下の記載がある。有機概念図における有機性は、界面活性剤の親油性（つまり、疎水性）と一致する。したがって、任意の界面活性剤について、その化学構造から無機性と有機性の比を計算すれば、その値が界面活性剤のＨＬＢ（Ｈｙｄｒｏｐｈｉｌｅ−Ｌｉｐｏｐｈｉｌｅ  Ｂａｌａｎｃｅ）と同じ意味の数値になる。このことを逆に考えれば、ＩＯＢ値は有機化合物の疎水性を表す指標とみなすことができる。
【００３４】
本発明者らの検討の結果、一般式（Ｉ）の染料を溶解させにくい水溶性有機化合物を用いることで、記録媒体のインク受容層における一般式（Ｉ）の染料の凝集性や非拡散性を高めることができ、フェザリングの発生を抑制することができることがわかった。上述の通り、水溶性有機化合物の疎水性の程度はＩＯＢ値により把握することができるため、本発明者らは、一般式（Ｉ）の染料の溶解性に着目して、水溶性有機化合物のＩＯＢ値の範囲についての検討を行った。その結果、インクはＩＯＢ値が１．４以上２．７以下である水溶性有機化合物を含有することが必要であるという結論に至った。ＩＯＢ値が１．４未満又は２．７を超える水溶性有機化合物を用いても、フェザリングの発生を抑制することができない。より好適なＩＯＢ値の範囲は、１．７以上２．５以下である。なお、本発明においては、インク中にＩＯＢ値が１．４以上２．７以下である水溶性有機化合物が含有されていれば、その作用により本発明の効果が得られる。したがって、インク中に、ＩＯＢ値が１．４未満又は２．７を超える水溶性有機化合物が共存していてもよい。
【００３５】
本発明で使用するインクに含有させる、ＩＯＢ値が１．４以上２．７以下である水溶性有機化合物としては、以下のようなものが挙げられる（ＩＯＢ値を括弧内に示す）。例えば、トリエチレングリコール（２．７）、１，４−ブタンジオール（２．５）、１，５−ペンタンジオール（２．０）、３−メチルー１，５−ペンタンジオール（１．８）、１，２−ヘキサンジオール（１．７）、１，６−ヘキサンジオール（１．７）、トリエチレングリコールモノブチルエーテル（１．４）、２−ピロリドン（１．８）などが挙げられ、１種又は２種以上をインクに含有させることができる。勿論、本発明は、ＩＯＢ値が上記範囲内の水溶性有機化合物であれば、上記のものに限られるものではない。本発明においては、これらの水溶性有機化合物の中でも、１，５−ペンタンジオールを用いることが特に好ましい。
【００３６】
本発明においては、インク中の一般式（Ｉ）で表される染料の含有量をＡ（質量％）、ＩＯＢ値が１．４以上２．７以下である水溶性有機化合物の含有量をＢ（質量％）としたときに、以下の関係を満たすようにすることが好ましい。先ず、インク中の一般式（Ｉ）で表される染料の含有量Ａ（質量％）が、インク全質量を基準として、０．７質量％以上２．０質量％以下であることが好ましい。これに加えて、インク全質量を基準とした、ＩＯＢ値が１．４以上２．７以下である水溶性有機化合物の含有量Ｂ（質量％）が一般式（Ｉ）で表される染料の含有量Ａ（質量％）に対する質量比率（Ｂ／Ａ）で、４．５倍以上２０．０倍以下であることが好ましい。さらには、前記質量比率が、５．０倍以上１４．３倍以下であることが特に好ましい。質量比率が４．５倍未満又は２０．０倍を超えると、染料の含有量と上記特定のＩＯＢ値を有する水溶性有機化合物の含有量のバランスがとれず、フェザリングの発生を十分に抑制することができない場合がある。特に、質量比率が２０．０倍を超えると、上記特定のＩＯＢ値を有する水溶性有機化合物の含有量が多くなりすぎ、インクの粘度が上昇するなどして、吐出安定性が十分に得られない場合もある。
【００３７】
なお、本発明は染料と水溶性有機化合物の親和性に着目するものであるので、ＩＯＢ値を算出する対象の水溶性有機化合物には、染料や顔料などの色材、後述するような添加剤は含まないものとして考える。
【００３８】
〔水性媒体〕
インクには、ＩＯＢ値が特定の範囲にある上述の水溶性有機化合物の他に、水及び水溶性有機溶剤の混合溶媒である水性媒体を含有させることができる。水としては、脱イオン水やイオン交換水を使用することが好ましい。インク中の水の含有量（質量％）は、インク全質量を基準として、５０．０質量％以上９５．０質量％以下であることが好ましい。水溶性有機溶剤としては、１価ないしは多価のアルコール類、グリコール類、グリコールエーテル類、含窒素化合物類などのインクジェット用のインクに使用可能なものをいずれも用いることができ、１種又は２種以上をインクに含有させることができる。インク中の水溶性有機溶剤の含有量（質量％）は、インク全質量を基準として、２．０質量％以上５０．０質量％以下であることが好ましい。なお、この場合の水溶性有機溶剤の含有量は、ＩＯＢ値が特定の範囲にある上述の水溶性有機化合物の含有量を含むものとする。
【００３９】
〔その他の添加剤〕
本発明で使用するインクには、尿素やその誘導体、トリメチロールプロパンやトリメチロールエタンなどの多価アルコール類など、常温で固体の水溶性有機化合物を含有させてもよい。また、インクには、上記で説明した成分以外にも必要に応じて、界面活性剤、ｐＨ調整剤、防錆剤、防腐剤、防黴剤、酸化防止剤、還元防止剤、蒸発促進剤、キレート化剤、水溶性ポリマーなどの、種々の添加剤を含有させてもよい。
【００４０】
［加湿工程］
本発明においては、上記で説明した画像形成工程を行う際に、記録ヘッドと記録媒体との間を加湿する加湿工程を行う。加湿工程では、記録媒体のインク受容層が十分に吸湿する程度に加湿を行えばよく、その方法としては、例えば、記録ヘッドと記録媒体との間に加湿空気を供給する方法などが挙げられる。本発明においては、加湿工程を、記録ヘッドと記録媒体との間に加湿空気を供給することで行い、記録ヘッドと記録媒体との間を、温度３５℃以下かつ絶対湿度０．０１３ｋｇ／ｋｇＤＡ以上の雰囲気とする条件で行うことが好ましい。さらには、温度３５℃以下かつ絶対湿度０．０１５ｋｇ／ｋｇＤＡ以上の雰囲気とする条件で行うことが特に好ましい。ここで、本発明における絶対湿度とは重量絶対湿度のことであり、その単位ｋｇ／ｋｇＤＡにより表されるように、乾き空気（Ｄｒｙ  Ａｉｒ）の重量（ｋｇ）に対して、湿り空気中に含まれる水蒸気の重量（ｋｇ）を示す。なお、温度の下限は２５℃以上であることが好ましい。これらの前提条件として、相対湿度が１００％未満であることが好ましい。最も好ましい加湿条件は、温度２５℃以上３５℃以下や、絶対湿度が０．０１７ｋｇ／ｋｇＤＡ以上の雰囲気とする条件である。この場合、加湿により間欠吐出安定性を向上する効果が高く、さらにこの温度範囲における相対湿度が１００％未満となるため、記録ヘッドにおける結露も生じず、吐出安定性にも優れる。
【００４１】
本発明においては、上記の加湿工程に加えて、画像形成工程の前に記録媒体を加湿するプレ加湿工程をさらに行うことが好ましい。この工程では、記録媒体が記録ヘッドを含む画像形成位置に進入する以前に該記録媒体を加湿する。このプレ加湿工程を行うことで、間欠吐出安定性をより効果的に向上することができる。これは、画像形成位置に記録媒体が進入する以前に記録媒体が十分に吸水した状態としておくことで、記録ヘッドと記録媒体との間の加湿をより効果的に行うことができるためである。本発明においては、プレ加湿工程を、記録媒体が記録ヘッドを含む画像形成位置に進入する以前に加湿空気を供給することで行われ、温度が３５℃以下かつ絶対湿度０．０１３ｋｇ／ｋｇＤＡ以上の雰囲気とする条件で行うことが好ましい。
【００４２】
＜インクジェット記録装置＞
本発明のインクジェット記録装置は、インクを収容するためのインク収容部、インクジェット方式の記録ヘッドからインクを吐出してインク受容層を有する記録媒体に画像を形成するための画像形成部を有する。さらに、前記記録ヘッドと前記記録媒体との間を加湿するための手段を有し、前記インク収容部に収容されたインクが、上記で説明したインクであることを特徴とする。
【００４３】
以下、本発明のインクジェット記録装置の構成を説明する。図１は本発明のインクジェット記録方法を行うためのインクジェット記録装置の画像形成部１の一例を示す模式図である。記録装置の全体構成の図示は省略するが、記録媒体の搬送方向の上流側から下流側に沿って、給紙部、画像形成部１、カッタ部、乾燥部、インク収容部、制御部、排紙部を備える。給紙部は、ロール状に巻かれた記録媒体２を回転可能に保持する。画像形成部１は、異なるインク色にそれぞれ対応した複数の記録ヘッド１ａを備える。ここでは、４種のインクに対応した４つの記録ヘッドを備えた形態としているが、インク数はこれには限定されない。各インクはインク収容部からそれぞれインクチューブを介して記録ヘッド１ａに供給される。複数の記録ヘッド１ａのそれぞれは、使用が想定される記録媒体の最大幅をカバーする範囲で、インクジェット方式のノズル列が形成されたライン型の記録ヘッドである。
【００４４】
画像形成部１には記録ヘッド１ａに対向して記録媒体搬送路が横切っており、記録媒体搬送路に沿って記録媒体を搬送するための搬送機構が設けられている。複数の記録ヘッド１ａ及び搬送機構は筐体１ｂの中の略閉空間に収容されている。画像形成部１には、記録ヘッド１ａと記録媒体との間を加湿するための第２の加湿部１ｄが設けられており、記録ヘッド１ａと記録媒体との間（いわゆる紙間）に加湿空気を供給する。この加湿空気は記録ヘッド１ａと記録媒体との間だけでなく、筐体１ｂの中の略閉空間の全体に行き渡るように供給され、この空間の全体に渡って加湿空気により温度と湿度が所望の雰囲気となるように調整されていてもよい。また、記録ヘッド１ａの搬送方向における上流側には、記録媒体が記録ヘッドを含む画像形成位置に進入する以前に該記録媒体をプレ加湿する第１の加湿部１ｃを設けてもよい。
【００４５】
カッタ部は、画像形成部１で画像が形成された、ロール紙状の記録媒体を所定のサイズにカットするためのユニットであり、カッタ機構が設けられている。乾燥部は、カットされた記録媒体を短時間で乾燥させるためのユニットであり、気体を加熱するヒータと加熱された気体の流れを発生させるファンで構成される温風装置、記録媒体の搬送経路に沿って並べられた複数の搬送ローラが設けられている。排紙部は、乾燥部から排出されたカット済みの記録媒体を収容するもので、複数の記録媒体が積み重ねられていく。制御部は、記録装置全体の各種制御や駆動を司るコントローラである。
【００４６】
なお、インクジェット記録装置が設置される周囲の環境によっては、上述の加湿工程により設定されるような温湿度の条件になる場合もある。しかし、外部環境の温湿度は常に変動しているため、定常的に所望の温湿度条件を満たしているとは限らない。したがって、本発明で設定するような温湿度条件にするために加湿工程を行うことは、本発明の効果を得るうえで有効であることに変わりはない。
【実施例】
【００４７】
以下、実施例、参考例及び比較例を用いて本発明をさらに詳細に説明するが、本発明は、その要旨を超えない限り、下記の実施例によって何ら限定されるものではない。
【００４８】
＜インクの調製＞
下記表２に示す各成分（単位：質量％）を混合し、十分に撹拌して溶解した後、ポアサイズ０．２μｍのミクロフィルター（富士フイルム製）にて加圧ろ過を行い、各インクを調製した。表２には、インク中の一般式（Ｉ）の染料の含有量Ａ（質量％）、ＩＯＢ値が１．４以上２．７以下である水溶性有機化合物の含有量Ｂ（質量％）、Ｂ／Ａ（倍）の値を合わせて示した。また、水溶性有機化合物（水溶性有機溶剤）については、括弧内にＩＯＢ値を示した。
【００４９】
アセチレノールＥ１００は川研ファインケミカル製のノニオン性界面活性剤である。例示化合物Ｉ−１及びＩ−１０は、特許文献２に記載された実施例を参考に合成した各化合物を用いた。なお、一般式（Ｉ）の染料は全て混合物であり、異性体などの混合物のことを「染料」として記載する。すなわち、染料とは、化合物の位置異性体、ピリジン環やピラジン環の窒素原子の位置異性体、一般式（Ｉ）のＡ、Ｂ、Ｃ、及びＤのベンゾ環／含窒素複素芳香環の比率の異性体、並びにベンゾ環の置換又は無置換のスルファモイル基のα／β位置異性体などを含む。また、比較化合物は、例示化合物Ｉ−１のＡ環がベンゼン環である構造の染料であり、特許文献１に記載された実施例を参考に合成した化合物を用いた。
【００５０】
【表２】
0005284416.tif 000005
【００５１】
＜評価＞
下記表３に示す種類のインクを用いて、表３に示す種類の記録媒体（商品名：ＰＴ−１０１、ＳＧ−２０１、ＧＬ−１０１、ＧＦ５００；キヤノン製）に、記録デューティを１５０％とした、幅約０．４４ｍｍの罫線パターンを形成した。この際、加湿空気を供給し、記録ヘッドと記録媒体との間の雰囲気を表３に示す温度及び絶対湿度の条件とした。また、比較のために、加湿を行わない条件（温度２３℃／相対湿度５０％〔絶対湿度０．００９ｋｇ／ｋｇＤＡ〕においても、同様の罫線パターンを形成した。
【００５２】
使用した記録媒体は、キヤノン写真用紙・光沢  プロ  ［プラチナグレード］ＰＴ−１０１、キヤノン写真用紙・絹目調ＳＧ−２０１、キヤノン写真用紙・光沢  ゴールドＧＬ−１０１、ＰＢ  ＰＡＰＥＲ  ＧＦ−５００（以上、キヤノン製）である。表３には、これらの記録媒体をそれぞれ、ＰＴ−１０１、ＳＧ−２０１、ＧＬ−１０１、ＧＦ−５００として記載した。ここで、ＰＴ−１０１、ＳＧ−２０１及びＧＬ−１０１はいずれもインク受容層を有する記録媒体であり、ＰＴ−１０１はインク受容層にアルミナ水和物を、また、ＳＧ−２０１及びＧＬ−１０１はインク受容層にシリカを、それぞれ含むものである。なお、ＧＦ−５００はインク受容層を有さない、いわゆる普通紙である。
【００５３】
使用したインクジェット記録装置は、図１に示す画像形成部を有するものである。具体的には、熱エネルギーの作用によりインクを吐出する記録ヘッド、画像形成の際に記録ヘッドと記録媒体との間に加湿空気を供給する加湿部（図１では第２の加湿部）を有する装置である。記録条件は、インク１滴あたりの体積：２．８ｐＬ、解像度：２，４００ｄｐｉ×１，２００ｄｐｉとした。本発明においては、１／６００インチ×１／６００インチの単位領域に、インク１滴あたりの体積が２．８ｐＬであるインク滴を８滴付与する条件で形成した画像を記録デューティ１００％の画像とした。その後、画像を温度２３℃、相対湿度５０％の環境に２４時間放置して、評価サンプルを得た。
【００５４】
上記で得られた評価サンプルについて、加湿を行った場合のラジェットネス値Ｒａ１及び加湿を行わなかった場合のラジェットネス値Ｒａ２をそれぞれ測定した。ラジェットネス値の測定には、パーソナル画像品質評価システムＰｅｒｓｏｎａｌ  ＩＡＳ（Ｑｕａｌｉｔｙ  Ｅｎｇｉｎｅｅｒｉｎｇ  Ａｓｓｏｃｉａｔｅｓ製）を用いた。そして、ΔＲａ＝Ｒａ１−Ｒａ２の値を求め、加湿によるフェザリングの抑制の評価を行った。また、Ｒａ１の値から、フェザリングの程度の評価を行った。本発明においては、上記評価システムにより罫線の幅のブレの程度を測定しているが、ラジェットネス値が小さい場合を罫線の幅が一定であり、優れていることを意味するものとしている。評価基準は以下の通りである。結果を表３に示す。本発明においては、下記の評価基準で、ΔＲａ値がＣ以上かつＲａ１値がＣ以上である場合を許容できるレベル、また、いずれかの項目でＤがある場合を許容できないレベルとした。
【００５５】
・加湿によるフェザリング抑制の評価基準
Ａ：ΔＲａが−０．１０以下であった
Ｂ：ΔＲａが−０．１０を超えて−０．０５以下であった
Ｃ：ΔＲａが−０．０５を超えて０．００以下であった
Ｄ：ΔＲａが０．００を超えていた
・フェザリングの程度の評価基準
Ａ：Ｒａ１が１．６０以下であった
Ｂ：Ｒａ１が１．６０を超えて１．７０以下であった
Ｃ：Ｒａ１が１．７０を超えて１．８０以下であった
Ｄ：Ｒａ１が１．８０を超えていた。
【００５６】
【表３】
0005284416.tif 000006
【図１】
0005284416.tif 000009